(57)【要約】【課題】頁番号順に並べられていない複数枚の原稿を読取った場合に、ユーザにとって、容易に複数枚の原稿を頁番号順に並べ替えることができる画像読取装置を提供することである。【解決手段】５枚の原稿が、原稿送り装置にセットされる（Ｓ１１）。原稿送り装置は、５枚の原稿を一枚ずつ読取り位置まで搬送する。そして、画像読取り部は、読取り位置まで搬送された５枚の原稿の画像を一枚ずつ読取る（Ｓ１２）。そうすると、制御部は、読取った５枚の原稿の画像のうち、頁番号を抽出する（Ｓ１３）。そして、抽出した頁番号が、５枚の原稿間で、順に並んでいるか否かを判断し（Ｓ１４）、頁番号が、順に並んでいないと判断すると（Ｓ１４において、ＹＥＳ）、制御部は、５枚の原稿を頁番号順に並べ替えるための情報を報知する（Ｓ１５）。【選択図】図３
2009302628.tif 000002
【特許請求の範囲】
【請求項１】
複数枚の原稿の画像を読取る読取り手段と、
前記読取り手段により読取った原稿の画像のうち、頁番号を抽出する抽出手段と、
前記抽出手段により抽出した頁番号が、複数枚の原稿間で、順に並んでいるか否かを判断する判断手段と、
前記判断手段により、頁番号が順に並んでいないと判断した場合に、複数枚の原稿を頁番号順に並べ替えるための情報を報知する報知手段とを備える、画像読取装置。
【請求項２】
前記報知手段は、前記複数枚の原稿を頁番号順に並び替えるための情報を表示する表示手段を含む、請求項１に記載の画像読取装置。
【請求項３】
前記読取り手段により読取った複数枚の原稿を排出トレイの所定の位置に排出する排出手段を備え、
前記報知手段は、前記判断手段により、頁番号が順に並んでいないと判断した場合に、頁番号が順に並んでいないと判断した原稿を、前記所定の位置からずれた位置に排出することにより報知する、請求項１または２に記載の画像読取装置。
【請求項４】
頁番号は、バーコードで表記されており、
前記抽出手段は、前記バーコードから頁番号を抽出する、請求項１〜３のいずれかに記載の画像読取装置。
【請求項５】
請求項１〜４のいずれかに記載の画像読取装置と、
前記画像読取装置により読取った原稿に基づいて画像を形成する画像形成部とを含む画像形成装置であって、
前記報知手段は、前記画像形成部により前記複数枚の原稿を頁番号順に並び替えるための情報を印刷する印刷手段を含む、画像形成装置。
【発明の詳細な説明】
【技術分野】
【０００１】
この発明は、画像読取装置および画像形成装置に関し、特に、複数枚の原稿を読取ることができる画像読取装置および画像形成装置に関するものである。
【背景技術】
【０００２】
画像形成装置には、複数枚の原稿の画像を読取ることができる画像読取装置が具備されているものがある。画像形成装置は、画像読取装置により読取った複数枚の原稿の画像に基づいて、複数枚の印刷物を出力する。
【０００３】
ここで、読取る複数枚の原稿は、頁番号順に並べられていない場合がある。この場合、出力された複数枚の印刷物においても、読取った順に出力することから、頁番号順に並べられていない。そうすると、ユーザは、出力された複数枚の印刷物を一枚ずつ頁番号を確認しながら頁番号順に並べ替える必要がある。
【０００４】
このような場合に、頁番号順に並べられていない複数枚の原稿を読取ると、出力する複数枚の印刷物を頁番号順に並べ替えて出力することができる画像形成装置が、特開平４−９６５６８号公報（特許文献１）に開示されている。
【特許文献１】特開平４−９６５６８号公報
【発明の開示】
【発明が解決しようとする課題】
【０００５】
特許文献１によると、出力する複数枚の印刷物においては、頁番号順に並べ替えて出力することができる。しかし、出力する印刷物の基となる複数枚の原稿においては、読取った後、そのまま、すなわち、頁番号順に並べ替えないまま排出トレイに排出されるため、ユーザは、排出された複数枚の原稿を一枚ずつ頁番号を確認しながら頁番号順に並べ替える必要がある。そうすると、作業が煩雑になってしまう。
【０００６】
この発明の目的は、頁番号順に並べられていない複数枚の原稿を読取った場合に、ユーザにとって、容易に複数枚の原稿を頁番号順に並べ替えることができる画像読取装置を提供することである。
【０００７】
この発明の他の目的は、頁番号順に並べられていない複数枚の原稿を読取った場合に、ユーザにとって、容易に複数枚の原稿を頁番号順に並べ替えることができる画像形成装置を提供することである。
【課題を解決するための手段】
【０００８】
この発明に係る画像読取装置は、複数枚の原稿の画像を読取る読取り手段と、読取り手段により読取った原稿の画像のうち、頁番号を抽出する抽出手段と、抽出手段により抽出した頁番号が、複数枚の原稿間で、順に並んでいるか否かを判断する判断手段と、判断手段により、頁番号が順に並んでいないと判断した場合に、複数枚の原稿を頁番号順に並べ替えるための情報を報知する報知手段とを備える。
【０００９】
好ましくは、報知手段は、複数枚の原稿を頁番号順に並び替えるための情報を表示する表示手段を含む。
【００１０】
さらに好ましくは、読取り手段により読取った複数枚の原稿を排出トレイの所定の位置に排出する排出手段を備え、報知手段は、判断手段により、頁番号が順に並んでいないと判断した場合に、頁番号が順に並んでいないと判断した原稿を、所定の位置からずれた位置に排出することにより報知する。
【００１１】
さらに好ましくは、頁番号は、バーコードで表記されており、抽出手段は、バーコードから頁番号を抽出する。
【００１２】
この発明の他の局面においては、上記のいずれかに記載の画像読取装置と、画像読取装置により読取った原稿に基づいて画像を形成する画像形成部とを含む画像形成装置であって、報知手段は、画像形成部により複数枚の原稿を頁番号順に並び替えるための情報を印刷する印刷手段を含む。
【発明の効果】
【００１３】
この発明に係る画像読取装置は、複数枚の原稿の画像を読取った場合に、読取った複数枚の原稿の頁番号が、順に並んでいないと判断すると、複数枚の原稿を頁番号順に並べ替えるための情報を報知する。これにより、ユーザは、頁番号順に並べ替えるための情報を参照することができ、容易に複数枚の原稿を頁番号順に並べ替えることができる。
【００１４】
また、この発明に係る画像形成装置は、このような画像読取装置を含むため、ユーザは、頁番号順に並べ替えるための情報を参照することができ、容易に複数枚の原稿を頁番号順に並べ替えることができる。
【発明を実施するための最良の形態】
【００１５】
以下、この発明の実施の形態を図面を参照して説明する。図１は、画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書き込みや読み出しを行うためのＤＲＡＭ１２と、デジタル複合機１０の有する情報を表示する表示画面２３を含み、デジタル複合機１０におけるユーザとのインターフェースとなる操作部１３と、原稿を自動的に所定の原稿読み取り位置へ搬送する原稿送り装置１４と、原稿送り装置１４によって搬送されてきた原稿の画像を所定の読み取り位置でスキャナで読み取る画像読取り部１５と、画像読取り部１５で読み取られた原稿等からその画像を形成し、用紙に印刷する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１６】
この発明の一実施形態に係る画像読取装置は、原稿送り装置１４と、画像読取り部１５とを含む。
【００１７】
制御部１１は、画像読取り部１５から与えられる原稿データをＤＲＡＭ１２に圧縮符号化して書き込み、ＤＲＡＭ１２に書き込んだデータを読み出し、伸張復号化して画像形成部１６により出力する。
【００１８】
デジタル複合機１０は、画像読取り部１５により読み取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読み取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００１９】
なお、図１において、太線の矢印は画像データの流れを示しており、細線の矢印は制御信号または制御データの流れを示している。
【００２０】
図２は、複数枚の原稿３０の一例を示す図である。図２を参照して、ここでは、５枚の原稿３０を示している。５枚の原稿３０のそれぞれには、フッター部に頁番号が表記されている。そして、５枚の原稿３０は、第４頁３２の上に重ねるようにして、第３頁３３が積載され、第３頁３３の上に重ねるようにして、第５頁３１が積載され、第５頁３１の上に重ねるようにして、第２頁３４が積載され、第２頁３４の上に重ねるようにして、第１頁３５が積載されている。すなわち、５枚の原稿３０の頁番号の順序は、上から順に、１−２−５−３−４となっている。
【００２１】
ここで、デジタル複合機１０を利用して、図２に示す５枚の原稿３０を読取る場合について説明する。図３は、５枚の原稿３０を読取る場合を示すフローチャートである。図１〜図３を参照して、図２に示す５枚の原稿３０を読取る場合について説明する。
【００２２】
まず、５枚の原稿３０が、図２に示すように、重ねるように積載された状態で、原稿送り装置１４にセットされる（図３において、ステップＳ１１、以下ステップを省略する）。原稿送り装置１４は、５枚の原稿３０を一枚ずつ読取り位置まで搬送する。そして、画像読取り部１５は、読取り位置まで搬送された５枚の原稿３０の画像を一枚ずつ読取る（Ｓ１２）。ここで、画像読取り部１５は、読取り手段として作動する。
【００２３】
そうすると、制御部１１は、読取った５枚の原稿３０の画像のうち、頁番号を抽出する（Ｓ１３）。具体的には、５枚の原稿３０のフッター部にそれぞれ表記された頁番号を抽出する。ここで、制御部１１は、抽出手段として作動する。そして、抽出した頁番号が、５枚の原稿間で、順に並んでいるか否かを判断する（Ｓ１４）。ここで、５枚の原稿３０の頁番号の順序は、図２に示すように、１−２−５−３−４となっている。したがって、制御部１１は、頁番号が、順に並んでいないと判断する（Ｓ１４において、ＹＥＳ）。ここで、制御部１１は、判断手段として作動する。
【００２４】
そうすると、制御部１１は、５枚の原稿３０を頁番号順に並べ替えるための情報を報知する（Ｓ１５）。ここでは、画像形成部１６により、５枚の原稿３０を頁番号順に並べ替えるための情報を印刷し、その印刷物を出力する。ここで、画像形成部１６は、印刷手段として作動する。図４は、Ｓ１５において出力された５枚の原稿３０を頁番号順に並べ替えるための情報を印刷した印刷物４０の一例を示す図である。図４を参照して、印刷物４０は、読取った５枚の原稿３０の頁番号の順序、すなわち、１−２−５−３−４を示している。そして、５枚の原稿３０を頁番号順に並べ替えるための情報として、５枚の原稿３０のうちの第５頁３１を最後尾に位置するように並べ替えるよう、すなわち、５枚の原稿３０の頁番号の順序が、１−２−３−４−５となるように並べ替えるよう、図４中の矢印Ａで示している。ここで、制御部１１は、報知手段として作動する。
【００２５】
こうすることにより、画像読取装置は、複数枚の原稿、ここでは、５枚の原稿３０の画像を読取った場合に、読取った複数枚の原稿３０の頁番号が、順に並んでいないと判断すると、複数枚の原稿３０を頁番号順に並べ替えるための情報を報知する。これにより、ユーザは、頁番号順に並べ替えるための情報を参照することができ、容易に複数枚の原稿３０を頁番号順に並べ替えることができる。
【００２６】
また、デジタル複合機１０は、このような画像読取装置を含むため、ユーザは、頁番号順に並べ替えるための情報を参照することができ、容易に複数枚の原稿３０を頁番号順に並べ替えることができる。
【００２７】
なお、Ｓ１４において、抽出した頁番号が、５枚の原稿間で、順に並んでいると判断した場合には（Ｓ１４において、ＮＯ）、５枚の原稿３０を頁番号順に並べ替えるための情報を報知しない。
【００２８】
また、上記の実施の形態においては、５枚の原稿３０を頁番号順に並べ替えるための情報を報知する例として、印刷物を出力する例について説明したが、これに限らず、例えば、操作部１３の表示画面２３に表示してもよい。ここで、表示画面２３は、表示手段として作動する。
【００２９】
また、上記の実施の形態においては、５枚の原稿３０を頁番号順に並べ替えるための情報を報知する例として、印刷物を出力する例について説明したが、これに限らず、原稿送り装置１４は、画像読取り部１５により読取った複数枚の原稿を排出トレイの所定の位置に排出する排出手段を含む構成とし、読取った複数枚の原稿を排出する際に、頁番号が順に並んでいないと判断した原稿を、所定の位置からずれた位置に排出することによって報知してもよい。
【００３０】
また、上記の実施の形態においては、５枚の原稿３０のフッター部にそれぞれ表記された頁番号を抽出する例について説明したが、これに限らず、ヘッダー部にそれぞれ表記された頁番号を抽出してもよい。また、例えば、頁番号は原稿にバーコードで表記され、バーコードから頁番号を抽出してもよい。
【００３１】
また、上記の実施の形態においては、制御部１１は、デジタル複合機１０に備えられる構成の例について説明したが、これに限らず、画像読取装置に備えられる構成としてもよい。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００３３】
【図１】画像形成装置をデジタル複合機に適用した場合のデジタル複合機の構成を示すブロック図である。
【図２】複数枚の原稿の一例を示す図である。
【図３】５枚の原稿を読取る場合を示すフローチャートである。
【図４】５枚の原稿を頁番号順に並べ替えるための情報を印刷した印刷物の一例を示す図である。
【符号の説明】
【００３４】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  表示画面、３０  複数枚の原稿、３１  第５頁、３２  第４頁、３３  第３頁、３４  第２頁、３５  第１頁、４０  印刷物。
【図１】
2009302628.tif 000003
【図２】
2009302628.tif 000004
【図３】
2009302628.tif 000005
【図４】
2009302628.tif 000006